(57)【要約】【課題】装置内部と外部との間の断熱性を向上させてカバー内の温度をすばやく所定温度に設定することができるプリント基板保持方法および装置を提供する。【解決手段】このプリント基板保持方法および装置３１は、保持部３３が、保持部ベース３５と、この保持部ベース３５とカバー部５５との間に配設されカバー部５５の開口を覆うとともにコネクタ１を貫通させる貫通穴５１ｂを有する断熱材からなる覆い板５１と、保持部ベース３５に移動可能に配設されコネクタ１を係止する可動爪４１と、この可動爪４１をコネクタ１に向かって押圧する弾性対４３とを有し、可動爪４１を保持部ベース３５に設けられた開口部４５を通して保持部ベース３５の外部から操作するようにしている。【選択図】図１
2008170181.tif 000002
【特許請求の範囲】
【請求項１】
プリント基板（２）に固定されたコネクタ（１）を保持する保持部（３３）と、前記プリント基板（２）を閉空間に閉じ込めるカバー部（５５）とを備え、前記保持部（３３）は、保持部本体（３５）と、この保持部本体（３５）と前記カバー部（５５）との間に配設され前記カバー部（５５）の開口を覆うとともに、前記コネクタ（１）を貫通させる貫通孔（５１ｂ）を有する断熱性材料からなる覆い板（５１）と、前記保持部本体（３５）に移動可能に配設され前記コネクタ（１）を係止する可動爪（４１）とを備えた装置において、
前記可動爪（４１）を、前記保持部本体（３５）に設けられた開口（４５）を通して操作して、開状態に保持し、
前記プリント基板（２）のコネクタ（１）を前記覆い板（５１）の前記貫通孔（５１ｂ）に挿入し、
前記可動爪（４１）を前記保持部本体（３５）に設けられた前記開口（４５）を通して操作して、閉状態に保持して前記コネクタ（１）を保持し、
カバー部（５５）を前記覆い板（５１）に気密に装着することによって、前記プリント基板（２）を閉空間に閉じ込めることを特徴とするプリント基板保持方法。
【請求項２】
プリント基板（２）に固定されたコネクタ（１）を保持する保持部（３３）と、
前記プリント基板（２）を閉空間に閉じ込めるカバー部（５５）と、
を備えたプリント基板保持装置であって、
前記保持部（３３）は、
保持部本体（３５）と、
この保持部本体（３５）と前記カバー部（５５）との間に配設され、前記カバー部（５５）の開口を覆うとともに、前記コネクタ（１）を貫通させる貫通孔（５１ｂ）を有する断熱性材料からなる覆い板（５１）と、
前記保持部本体（３５）に移動可能に配設され前記コネクタ（１）を係止する可動爪（４１）とを有し、
前記保持部本体（３５）には、前記可動爪（４１）を外部から操作するための開口（４５）が形成されていることを特徴とするプリント基板保持装置。
【請求項３】
前記覆い板（５１）はベーク材からなることを特徴とする請求項２に記載のプリント基板保持装置。
【請求項４】
前記覆い板（５１）と前記保持体本体（３５）および前記可動爪（４１）との間に間隙（５１ａ）を形成したことを特徴とする請求項２又は請求項３に記載のプリント基板保持装置。
【発明の詳細な説明】
【技術分野】
【０００１】
本発明は、保持部とカバー部との間の閉空間にプリント基板を配置し、この空間を所定の環境に設定してプリント基板の種々の試験を行うプリント基板保持方法および装置に関する。
【背景技術】
【０００２】
従来、この種のプリント基板保持装置としては、図３に示すようなものが知られている。このプリント基板保持装置１１は、図４に示すような種々の素子Ｄが搭載されたプリント基板Ｐを所定の温度条件で検査するためのものである。このプリント基板保持装置１１は、保持部ベース１３を有している。この保持部ベース１３上には、プリント基板Ｐに設けられたコネクタＣを嵌合する固定チャック１５が設けられている。また、保持部ベース１３上で固定チャック１５の側方には、固定チャック嵌合部１５に嵌合されたコネクタＣが抜けないように係止する可動チャック１７が設けられている。この可動チャック１７は、可動チャックガイド部１８によってコネクタＣに向かって離接するようにガイドされ、弾性体１９によってコネクタＣに向かって押圧されている。また、この可動チャック１７上面には、コネクタＣ装着時に可動チャックを後退させるための係止凹部１７ａが形成されており、この係止凹部１７ａに所定の冶具を係合させて可動チャック１７を操作するようになっている。
【０００３】
また、保持部ベース１３には、上記プリント基板Ｐ等を覆うカバー２１が設けられ、このカバー２１の内側には断熱材２１ａが貼り付けられている。このカバー２１内の保持部ベース１３上には、このカバー２１内に所定温度の空気を供給するノズル体２３が設けられている。一方、コネクタＣには、プリント基板Ｐに電気を供給する接続端子２５が接続されている。
【０００４】
このようなプリント基板保持装置１１は、その内部空間にノズル体２３を通して所定温度の空気を供給してプリント基板Ｐを所定温度にするとともに、接続端子２５を通して通電してプリント基板を起動し、種々の試験を行うようになっている。
【０００５】
しかしながら、このようなプリント基板保持装置１１にあっては、可動チャック１７をその上側から操作する構成であるため、可動チャック１７上方が開放されている必要があり、断熱材等のカバーを設けることができなかった。したがって、カバー２１内の熱が保持部ベースを伝わって外部に洩れてしまい、カバー内を所定温度に設定して内部温度を安定させるのに時間がかかる。このため、試験工程のスループットが低下するという問題点があった。
【０００６】
なお、このようなプリント基板保持装置としては、特許文献１に示すようなものが知られている。
【０００７】
【特許文献１】特開２００４−３５４３４１
【発明の開示】
【発明が解決しようとする課題】
【０００８】
本発明は、上記問題点を解決することをその課題とし、装置内部と外部との間の断熱性を向上させてカバー内の温度をすばやく所定温度に設定することができるプリント基板保持方法および装置を提供する。
【課題を解決するための手段】
【０００９】
上記課題を解決するため、保持部（３３）は、保持部本体（３５）と、この保持部本体（３５）とカバー部（５５）との間に配設されカバー部（５５）の開口を覆うとともにコネクタ（１）を貫通させる貫通孔（５１ｂ）を有する断熱性材料からなる覆い板（５１）と、保持部本体（３５）に移動可能に配設されコネクタ（１）を係止する可動爪（４１）とを備えた装置において、可動爪（４１）を、保持部本体（３５）に設けられた開口（４５）を通して操作して、開状態に保持し、プリント基板（２）のコネクタ（１）を覆い板（５１）の貫通孔（５１ｂ）に挿入し、可動爪（４１）を保持部本体（３５）に設けられた開口（４５）を通して操作して、閉状態に保持してコネクタ（１）を保持し、カバー部（５５）を覆い板（５１）に気密に装着することによって、プリント基板（２）を閉空間に閉じ込める手段を採用することができる。
【００１０】
この手段によると、簡単な操作でプリント基板（２）の装着ができるとともに、可動爪（４１）を保持部本体（３５）の下方から操作することができ、保持部本体（３５）とカバー部（５５）との間に断熱材からなる覆い板（５１）を設けることができる。したがって、カバー部５５内の熱が保持部ベース３５を伝わって外部に洩れることを防止することができる。
【００１１】
また、保持部（３３）は、保持部本体（３５）と、この保持部本体（３５）とカバー部（５５）との間に配設されカバー部（５５）の開口を覆う断熱性材料からなる覆い板（５１）と、保持部本体（３５）に移動可能に配設されコネクタ（１）を係止する可動爪（４１）とを有し、保持部本体（３５）には、可動爪（４１）を外部から操作するための開口（４５）が形成されている手段を採用することができる。
【００１２】
この手段によると、可動爪（４１）を保持部本体（３５）の下方から操作することができ、保持部本体（３５）とカバー部（５５）との間に断熱材からなる覆い板（５１）を設けることができる。したがって、カバー部５５内の熱が保持部ベース３５を伝わって外部に洩れることを防止することができ、すみやかにカバー内を所定の温度を加熱して内部温度を安定させることができる。
【００１３】
また、上記課題を解決するため、覆い板（５１）はベーク材からなる手段を採用することができる。したがって、低コストで高い断熱性を実現することができる。
【００１４】
また、上記課題を解決するため、覆い板（５１）と保持体本体（３５）および可動爪（４１）との間に間隙（５１ａ）を形成した手段を採用することができる。したがって、この部分と通っての熱の出入りを効率的に遮断して断熱性能を向上させることができる。
【００１５】
なお、上記各手段に付した括弧内の符号は、後述する実施形態に記載の具体的手段との対応関係を示す一例である。
【発明を実施するための最良の形態】
【００１６】
以下、本発明の実施の形態について、図１および図２を参照して説明する。
【００１７】
図１および図２中符号３１は、本発明の一実施の形態であるプリント基板保持装置を示す。このプリント基板保持装置３１は、保持部３３を有しており、この保持部３３はその下部に保持部ベース３５を有している。
【００１８】
この保持部ベース３５の中央には、コネクタ１が挿入されるコネクタ挿入穴３７が上下に貫通して形成されている。また、保持部ベース３５上面には、このコネクタ挿入穴３７に向かって離接する方向に形成されたガイド溝３９が対向して形成されている。このガイド溝３９には可動爪４１が摺動可能にガイドされており、コネクタ挿入穴３７に対して突出する突出位置とコネクタ挿入穴３７から後退する後退位置をとりうるようになされている。ガイド溝３９内の可動爪４１の背後には弾性体４３が装着されている。この弾性体４３は、可動爪４１をコネクタ挿入穴３７内に向かって常時押圧するようになされている。可動爪４１の下面には係止凹部４１ａが形成されており、保持部ベース３５の係止凹部４１ａに対向する部分には、この係止凹部４１ａから保持部ベース３５下面に到る開口部４５が形成されている。
【００１９】
一方、保持部ベース３５下面には、フレーム４６が設けられており、このフレーム４６の係止凹部４１ａの下方の部分には、上面から下面に到る挿通孔４６ａが形成されている。このフレーム４６の下面で挿通孔４６ａの外側には、図２に示すように、ピン駆動装置４７が設けられている。このピン駆動装置４７の出力部４７ａには、開口部４５、挿通孔４６ａを貫通して係止凹部４１ａに係合する駆動ピン４９が固定されている。そして、ピン駆動装置４７は、駆動ピン４９を介して係合している可動爪４１を、弾性体４３の押圧力に抗して後退位置に移動できるようになっている。
【００２０】
このような保持部３３の保持部ベース３５の上面には、覆い板５１が固定されている。この覆い板５１は、ベーク材からなり、その下面には、保持部ベース３５や可動爪４１の上面から離間するように凹部５１ａが形成されている。なお、この凹部５１ａは、可動爪４１の上方位置の全てに形成されているわけではなく、可動爪４１は凹部５１ａが形成されていない部分の覆い板５１の下面によってガイドされている。この覆い板の中央には、コネクタ１が貫通する貫通孔５１ｂが形成されている。
【００２１】
この貫通孔５１ｂには、プリント基板２に設けられたコネクタ１のスリーブ３が挿入されている。このスリーブ３の下端両側には係止突起３ａ，３ａが形成されている。そして、可動爪４１、４１が突出位置のときこの係止突起３ａ，３ａと係合してコネクタ１を保持するようになっている。
【００２２】
また、コネクタ１の側方にはノズル体５３が設けられている。このノズル体５３は、加熱空気供給部（図示せず）、冷却空気供給部（図示せず）に接続されており、所定の温度の空気を供給できるようになっている。
【００２３】
また、覆い板５１には、カバー部５５のカバー５７が設けられている。このカバー５７は有底筒状になされ、その開口縁を覆い板５１の外周部に気密に当接して装着されており、プリント基板２を閉空間Ｓに閉じ込めるようになっている。このカバー５７の内側には、断熱材５９が貼り付けられている。
【００２４】
一方、このコネクタ１のスリーブ３には、接続端子６１が接続されている。この接続端子６１には側方に延出する鍔部６３が設けられており、この鍔部６１には保持部ベース３５に向かって基準ピン６５が植設されている。一方、この保持部ベース３５の基準ピン６５に対向する位置には基準穴６７が形成されており、基準ピン６５と嵌合することによって位置決めできるようになっている。
【００２５】
このような構成のプリント基板保持装置３１を使用して、プリント基板の動作試験を行う手順について説明する。
【００２６】
まず、覆い板５１が固定された保持部３３を所定位置に位置決めする。
【００２７】
ついで、ピン駆動装置４７を駆動させ、駆動ピン４９を介して可動爪４１を弾性体４３の押圧力に抗して後退位置に移動させる。すなわち、可動爪４１を開状態にする。
【００２８】
次に、コネクタ１のスリーブ３を覆い板５１の貫通孔５１ｂに挿入する。
【００２９】
その後、ピン駆動装置４７の駆動を解除すると、可動爪４１が弾性体４３の押圧力によって突出位置に移動する。そして、可動爪４１がスリーブ３に設けられた係止突起３ａと係合して、コネクタ１が固定される。
【００３０】
次に、カバー部５５を保持部３３に取り付け、プリント基板２を装置内の閉空間Ｓに閉じ込める。
【００３１】
次いで、プリント基板検査装置３１を検査位置に移動して位置決めする。
【００３２】
その後、鍔部６３の基準ピン６５を基準穴６７に嵌合させた状態で、接続端子６１をコネクタ１のスリーブ３に接続する。
【００３３】
なお、コネクタ１のスリーブ３は、覆い板５１の貫通孔５１ｂにゆるく勘合しているので、スリーブ３は両可動爪４１の弾性体４３の押圧力によって押圧力の中立位置にバランスして保持されている。この状態で、基準ピン６５と基準穴６７の嵌合によって位置決めされた接続端子６１がスリーブ３に接続されると、スリーブ３は接続端子６１の位置にしたがって若干位置ずれするが、スリーブ３は弾性的に保持されているため接続はスムーズに行われる。
【００３４】
次いで、ノズル体５３を加熱空気供給部（図示せず）に接続し、加熱空気をカバー部５５内の閉空間Ｓに供給する。例えば８５℃の低露点エアーを例えば２分と８分供給する。そして、プリント基板２およびこれに搭載された素子を所定の温度に加熱する。
【００３５】
この状態で、接続端子６１を通してプリント基板に通電し、素子、基板等の特性を検査する。
【００３６】
次に、ノズル体５３を冷却空気供給部（図示せず）に接続し、冷却空気をカバー部５５内の閉空間Ｓに供給する。例えばマイナス２５℃以下の低露点エアーを例えば１３５秒供給する。そして、プリント基板２およびこれに搭載された素子を所定の温度に冷却する。
【００３７】
この状態で、接続端子６１を通してプリント基板に通電し、素子、基板等の特性を検査する。
【００３８】
このような試験によってプリント基板の温度を−２９℃から９６℃まで変化させ特性を測定する。
【００３９】
その後、接続端子６１をコネクタ１のスリーブ３から取り外す。
【００４０】
次いで、プリント基板保持装置３１を取り出し位置に移動し位置決めする。
【００４１】
次に、カバー部５５を保持部から取り外す。
【００４２】
その後、ピン駆動装置４７を駆動させ、可動爪４１を弾性体４３の押圧力に抗して後退させて開状態にし、可動爪４１とスリーブ３の係止突起３ａとの係合を解除する。
【００４３】
そして、プリント基板２が固定されたコネクタ１を取り外す。
【００４４】
分離したカバー部５５と保持部３３とは、それぞれリターンコンベアに載せて回収する。
【００４５】
以上説明したように、このプリント基板保持装置３１にあっては、保持部３３は、
保持部ベース３５と、この保持部ベース３５とカバー部５５との間に配設され、カバー部５５の開口を覆うとともにコネクタを貫通させる貫通孔を有する断熱材からなる覆い板５１と、保持部ベース３５に移動可能に配設されコネクタ１を係止する可動爪４１と、この可動爪４１をコネクタ１に向かって押圧する弾性体４３とを有し、保持部ベース３５には、可動爪４１を外部から操作するための開口部４５が形成されているから、可動爪４１を保持部ベース３５の下方から操作することができ、したがって保持部ベース３５とカバー部５５との間に断熱材からなる覆い板５１を設けることができる。このため、カバー部５５内の熱が保持部ベース３５を伝わって外部に洩れることを防止することができる。したがって、すみやかにカバー内を所定の温度に加熱して内部温度を安定させることができ、試験工程のスループットを向上させることができる。
【００４６】
また、このプリント基板保持方法にあっては、ピン駆動装置４７を駆動させ、可動爪４１を弾性体４３の押圧力に抗して後退位置に移動させて開状態にし、コネクタ１のスリーブ３を覆い板５１の貫通孔５１ｂに挿入し、その後ピン駆動装置４７の駆動を解除することによって可動爪４１が弾性体４３の押圧力によって突出位置に移動し、可動爪４１が係止突起３ａと係合してコネクタ１を固定し、カバー部５５を保持部３３に取り付け、プリント基板２を装置内の閉空間Ｓに閉じ込める。
【００４７】
したがって、上記プリント基板保持装置と同様の効果を奏すると共に、プリント基板の装着を自動的に容易に行うことができる。
【００４８】
また、覆い板５１をベーク材で構成しているから、低コストで断熱性の高い遮蔽板を構成することができる。
【００４９】
さらに、覆い板５１の下面に凹部５１ａを形成し、保持体ベース３５や可動爪４１との間に間隙を形成しているから、この部分を通っての熱の出入りを効率的に遮断して、断熱性を向上させることができる。
【００５０】
なお、上記実施の形態によれば、可動爪４１をピン駆動装置４７を用いて作動させているが、これに限る必要はなく、可動爪４１の係止凹部４１ａにピンを挿入して手動で操作するようにしてもよい。
【図面の簡単な説明】
【００５１】
【図１】本発明の一実施の形態であるプリント基板保持装置を示す概略断面図。
【図２】図１に示すプリント基板保持装置のうちピン駆動装置の部分を示した断面図。
【図３】従来のプリント基板保持装置を示す概略断面図。
【図４】プリント基板保持装置で試験されるプリント基板を示す斜視図。
【符号の説明】
【００５２】
３１    プリント基板保持装置
３３    保持部
３５    保持部ベース
４１    可動爪
４３    弾性体
４５    開口部
５１    覆い板
５１ａ    凹部
５１ｂ    貫通孔
【図１】
2008170181.tif 000003
【図２】
2008170181.tif 000004
【図３】
2008170181.tif 000005
【図４】
2008170181.tif 000006